(57)【要約】【課題】医療機関で新生児動画を取り込む際にＩＣカードをカードリーダーに１回かざすこと（またはタッチすること）だけで、間違いなく取り込みを完了させることができ、医療機関スタッフの新生児動画を取り込む際の手数を減少させる。【解決手段】産婦ごとのＩＤとシステム識別コードが少なくとも記録されてあらかじめ産婦に発給された非接触型ＩＣカードを前記非接触型ＩＣカードリーダーから読み込ませることを契機として、前記新生児動画の取り込みを開始し、所定時間取り込んだ後に前記ＩＤとあらかじめ前記取込送信サブシステムに設定された医療機関コードとともに前記クラウドサーバーにアップロードする。【選択図】  図１
2014154948.tif 000002
【特許請求の範囲】
【請求項１】
カメラから送られる新生児動画を取り込み、インターネットを介して前記新生児動画を保存し管理するクラウドサーバーにアップロードする取込送信サブシステムと前記取込送信サブシステムに接続された非接触型ＩＣカードリーダーとを備える新生児動画取込送信システムであって、
前記新生児動画取込送信システムは、産婦ごとのＩＤとシステム識別コードが少なくとも記録されてあらかじめ産婦に発給された非接触型ＩＣカードを前記非接触型ＩＣカードリーダーから読み込ませることを契機として、前記新生児動画の取り込みを開始し、所定時間取り込んだ後に前記ＩＤとあらかじめ前記取込送信サブシステムに設定された医療機関コードとともに前記クラウドサーバーにアップロードすることを特徴とする新生児動画取込送信システム。
【請求項２】
前記取込送信サブシステムは、前記ＩＣカードが前記新生児動画取込送信システムで用いられるものであれば前記カメラから新生児動画の取り込みを開始し、他のシステムで用いられるものであれば取り込みをしないように判別することを特徴とする請求項１記載の新生児動画取込送信システム。
【請求項３】
請求項１または２に記載の新生児動画取込送信システムと、前記新生児動画取込送信システムからインターネットを介してアップロードされた新生児動画を保存し管理する前記クラウドサーバーと、前記クラウドサーバーにインターネットを介してリクエストし前記新生児動画を閲覧する閲覧クライアントとを含む新生児動画配信システムであって、
前記クラウドサーバーは、前記閲覧クライアントから前記新生児動画の閲覧のリクエストを受けた際に、ユーザー認証を行った後に、前記ＩＤに関連付けて保存された閲覧クライアントに応じた形式の新生児動画をストリーミングまたはダウンロードして配信することを特徴とする新生児動画配信システム。
【請求項４】
前記ユーザー認証は、あらかじめされたユーザー登録の際に前記ＩＤと前記セキュリティコードに関連付けて取得されたパスワードを用いて行うことを特徴とする請求項３記載の新生児動画配信システム。
【発明の詳細な説明】
【技術分野】
【０００１】
本発明は、インターネットを介して新生児動画を配信するシステムに関する。
【背景技術】
【０００２】
従来から、通院から産後までの記録をオリジナルＤＶＤとして産婦に提供するサービスがあった。これに収録されるものの中には、妊婦健診時のエコー動画をはじめとして、医療機関内での産後の赤ちゃんの動画や、産後に役立つビデオ、あるいは医療機関案内が含まれていた。なお、以下、「動画」という場合は、「映像」のみならず、「映像」と「音」の両方を含む場合がある。
【０００３】
このようなシステムでは、まず、磁気カードを用いて産婦が医療機関内に設置されたタッチパネルの端末から産婦の名前、予定日、メールアドレスを入力し患者情報の登録をするとともに、健診時には医療機関内に設置されたサーバーにクライアント端末から磁気カードを用いてエコー動画を取り込んで保存し、また、産後の赤ちゃんの映像は、医療スタッフがデジタルカメラなどで新生児を撮影したのち、これらの動画をパソコンなどに移してＤＶＤに収録し、それを産婦に提供していた。
【０００４】
一方で、エコー静止画については、システム側の処理で静止画を切り出すとともに、あらかじめサーバーへの登録を行った後に、産婦本人のみならず遠隔地の家族も見ることができるようにあらかじめ登録されたメールアドレスに、医療機関内のサーバーにアクセスするためのパスワード入りＵＲＬ情報を送付して、インターネット経由で携帯端末等から閲覧ができるようにしていた。
【０００５】
しかし、このようなシステムでは、インターネット経由で見ることができるのはエコー静止画に限られるばかりではなく、産後の赤ちゃんの映像の撮影やＤＶＤの作成に医療機関スタッフの手間と時間がかかっていた。さらに、ＤＶＤとして産婦に提供しても、読み取りハードウェアの機種依存があり、せっかく制作したものであっても、読み取れないことがあった。
【０００６】
他方、産後に関しては、医療機関で撮影された新生児の映像を映像/音声伝送サーバを介しリアルタイムで病室のその産婦に見せるとともに、インターネットを介して、運営者のウェブサーバにアップロードし、これに加入者端末からアクセスして閲覧することができるシステムがあった（特許文献１）。
【０００７】
このシステムは、加入者端末からウェブサーバに接続を要求し、初期画面からＩＤと暗証番号を入力してログインすることにより、ウェブサーバに接続され、該当する加入者に対応した新生児の映像をリアルタイムで加入者端末に伝送するものであった。
【０００８】
しかしながら、このシステムは、新生児室の新生児の様子をリアルタイムで見るものであって、オンデマンドで新生児動画ファイルを閲覧するものではない。したがって、退院などして新生児が新生児室からいなくなると、新生児の動画を見ることができなくなるものであった。
また、このシステムは、映像/音声サーバーと複数の撮像手段やモニターが医療機関ごとに必要になるため、これらの装置を設置するスペースとコストが医療機関に必要であった。
さらに、このシステムは、どの新生児の動画をどのようにウェブサーバに送るかについては、あらかじめ人手で管理する必要があり、間違って他人の赤ちゃんの画像を送る恐れがあった。
【０００９】
このため、インターネット経由で新生児動画を見るに際し、産婦本人をはじめ、産婦の家族、医療機関スタッフにとって、より手軽で使いやすく、セキュリティの高いシステムが望まれていた。
【先行技術文献】
【特許文献】
【００１０】
【特許文献１】特開２００３−１４３５８９号公報
【発明の概要】
【発明が解決しようとする課題】
【００１１】
本発明は、このような従来事情に鑑みてなされたもので、その目的は、医療機関で新生児動画を取り込む際に、ＩＣカードをカードリーダーに１回かざすこと（またはタッチすること）だけで、間違いなく取り込みを完了させることができ、医療機関スタッフの新生児動画を取り込む際の手数を劇的に減少させる新生児動画取込送信システムを提供することである。
【００１２】
本発明の他の目的は、サーバーをインターネットを介してクラウド上に集中設置することにより、新生児動画の閲覧サービスを提供するにあたり、産婦や家族にとっては新生児動画をいつでもどこでも簡単に見ることができるとともに、医療機関にとって、従来医療機関で行っていたＤＶＤ作成などの閲覧サービスに付随する手間をまったく不要とすることができる使いやすい新生児動画配信システムを提供することである。
【課題を解決するための手段】
【００１３】
上記目的を達成するために、本発明は、カメラから送られる新生児動画を取り込み、インターネットを介して前記新生児動画を保存し管理するクラウドサーバーにアップロードする取込送信サブシステムと前記取込送信サブシステムに接続された非接触型ＩＣカードリーダーとを備える新生児動画取込送信システムであって、前記新生児動画取込送信システムは、産婦ごとのＩＤとシステム識別コードが少なくとも記録されてあらかじめ産婦に発給された非接触型ＩＣカードを前記非接触型ＩＣカードリーダーから読み込ませることを契機として、前記新生児動画の取り込みを開始し、所定時間取り込んだ後に前記ＩＤとあらかじめ前記取込送信サブシステムに設定された医療機関コードとともに前記クラウドサーバーにアップロードすることを特徴とする。
【００１４】
ここで、前記取込送信サブシステムは、前記ＩＣカードが前記新生児動画取込送信システムで用いられるものであれば前記カメラから新生児動画の取り込みを開始し、他のシステムで用いられるものであれば取り込みをしないように判別するのが好ましい。
【００１５】
また、本発明は、上述の新生児動画取込送信システムと、前記新生児動画取込送信システムからインターネットを介してアップロードされた新生児動画を保存し管理する前記クラウドサーバーと、前記クラウドサーバーにインターネットを介してリクエストし前記新生児動画を閲覧する閲覧クライアントとを含む新生児動画配信システムであって、前記クラウドサーバーは、前記閲覧クライアントから前記新生児動画の閲覧のリクエストを受けた際に、ユーザー認証を行った後に、前記ＩＤに関連付けて保存された閲覧クライアントに応じた形式の新生児動画をストリーミングまたはダウンロードして配信することを特徴とする。
【００１６】
ここで、前記ユーザー認証は、あらかじめされたユーザー登録の際に前記ＩＤと前記セキュリティコードに関連付けて取得されたパスワードを用いて行うことが好ましい。
【発明の効果】
【００１７】
本発明は、以上のように構成したので、医療機関では、新生児動画を取り込む際に、ＩＣカードをカードリーダーに１回かざすこと（またはタッチすること）だけで、間違いなく取り込みを完了させることができ、併せて、医療機関スタッフの新生児動画を取り込む際の手数を減少させることができる。
【００１８】
また、サーバーはインターネットを介してクラウド上に集中設置しているため、新生児動画の閲覧サービスを提供するにあたり、産婦や家族にとっては新生児動画をいつでもどこでも簡単に見ることができるとともに、医療機関にとって、従来医療機関で行っていたサーバーの設置・維持・管理、およびＤＶＤ作成などの閲覧サービスに付随する手間をまったく不要とすることができる。加えて、新生児動画を配信するに当たり、閲覧内容である新生児動画と閲覧者の対応を間違えることなく高いセキュリティをもって、動画を提供できる。
【発明を実施するための形態】
【００１９】
以下、本発明の実施の形態について説明する。
図１は、本発明のハードウェアの全体構成を示すものである。新生児動画を取り込んでサーバーに送る新生児動画取込送信システム２０、新生児動画を受け取って保存・管理する複数のサーバーからなるクラウドサーバー６０、および新生児動画を閲覧する閲覧クライアント４０は、インターネットを介して、全体として、サーバー・クライアント・システムである新生児動画配信システムを構成している。
【００２０】
（医療機関側システム）
図１に示すように、各医療機関内に設置される医療機関側システム３０は、新生児動画取込送信システム２０と新生児動画を生成するカメラ１０から構成される。新生児動画取込送信システム２０は、カメラ１０で生成された新生児動画を取り込んでクラウドサーバー６０にアップロード（送信）する取込送信サブシステム２１としてノートＰＣ（パーソナルコンピュータ）２１が設置され、これに非接触型ＩＣカードを読み取ることができる非接触型ＩＣカードリーダー２２が接続されている。ここで用いているのは、ＩＳＯ／ＩＥＣ１４４４３に準拠する近接型といわれるものである。
【００２１】
（カメラ）
カメラ１０は、撮影したビデオ画像及び音声を、ビデオ映像出力またはＳ映像出力、および／または音声出力ができるものであればよく、これをノートＰＣ２１のＵＳＢ端子から取りこむようにするため、カメラ１０とノートＰＣ２１の間には、キャプチャーユニット（不図示）が介されて、カメラ１０のビデオ映像またはＳ映像、および／または音をノートＰＣ２１のＵＳＢ端子から取り込むようにしている。カメラ１０は音声も取り込めるようコンデンサマイクなどのマイク付きであってもよい。また、カメラ１０の撮像素子はＣＭＯＳセンサなどであってもよく、カラー画像が撮像できるものやオートフォーカス機能があるものが好ましい。
カメラ１０は、リアルタイムで画像転送可能なインターフェースを有するウェブカメラなどの撮像カメラでもよく、ここでは、ＵＳＢインターフェースを有するものが使用できる。
ノートＰＣ２１は、インターネットに接続され、新生児動画取り込みアプリケーションプログラムがインストールされ、後述するように、新生児動画をカメラ１０から取り込み、インターネット経由でクラウドサーバー６０に保存・閲覧のために送信（アップロード）する。
【００２２】
（ＩＣカード）
ＩＣカードは、前記の非接触型カードリーダーにより読み取ることができるもので、産婦が最初に医療機関に来院したときなどに、新生児動画取込送信システム２０およびまたは新生児動画配信システム１（以下、併せてまたはいずれかについて「本システム」ということがある。）の利用のために医療機関から提供するものであり、本システムの新生児動画の自動取込の際の開始契機（開始信号）を与えるとともに、産婦や家族などが本システムを通じて新生児動画を閲覧する際に必要な情報が記録・記載されているものである。
このＩＣカードには、提供の際に、あらかじめ８文字の文字列からなるＩＤと、本システムに関するものであることを示す３文字の識別文字列の情報が、少なくとも記録されている。また、ＩＣカードの裏側には、ＩＤと６文字の文字列からなるセキュリティコードが印字されているとともにこれらに対応する２次元バーコードシンボルが印刷されている。
【００２３】
（クラウドサーバー）
本システムのサーバーの構成は、図２に示すように、クラウドサーバー６０からなり、クラウドサーバー６０は、ウェブサーバー６１０、コンテンツサーバー６２０、動画変換サーバー６３０、データベースサーバー（以下、ＤＢサーバーという）６４０からなる。ウェブサーバー６１０はインターネットに接続されており、他のサーバーはクラウドサーバー群として、ＬＡＮ（ローカルエリアネットワーク）接続されている。それぞれのサーバーは、周知のように、ＣＰＵ（中央処理装置），内部メモリ、入出力ユニットなどが適宜組み合わされ、ＨＤＤなどの外部メモリが適宜組み合わされたコンピュータからなり、それぞれの役割に応じて必要とされるＯＳ（オペレーションシステム）やソフトウェアがインストールされている。
【００２４】
それぞれのサーバーの役割は、図２に示すように、ウェブサーバー６１０は後述の新生児動画を閲覧する閲覧クライアント４０に新生児動画を配信するやり取りを行い、また、取込送信サブシステム２１から動画を受け取りするやり取りを行う。動画変換サーバー６３０は、動画変換アプリケーションによりアップロードされた新生児動画を閲覧クライアント４０の種類に応じた閲覧可能な形式に変換し、コンテンツサーバー６２０は、それらの変換した新生児動画を保存する。ＤＢサーバー６４０は、本システムに必要なＩＣカード情報、ユーザー情報、新生児動画情報などを保存するデータベースを提供し、必要に応じ、更新・管理される。
【００２５】
（閲覧クライアント）
閲覧クライアント４０は、ウェブサーバー６１０にリクエストして、ウェブサーバー６１０動画閲覧ウェブサービス６１２の提供するウェブサイト（ホームページ）から、ユーザー登録や、新生児動画の閲覧を行うものである。閲覧クライアント４０には、ウェブブラウザがインストールされている必要がある。図３に示すように、パーソナルコンピュータ４１、スマートフォン４２、携帯電話４３のいずれでも差し支えない。
【００２６】
次に、本システムの処理フローについて説明をする。
【００２７】
（新生児動画の取り込み）
（Ｓ２１０）図４に示すように、取込送信サブシステムであるノートＰＣ（パーソナルコンピュータ）２１に新生児動画を送れるようにカメラ１０が起動され、インターネットに接続されているノートＰＣ２１の新生児動画取り込みアプリケーションプログラムが起動されている状態にする。
【００２８】
（Ｓ２１２）あらかじめ産婦に発行した所定のＩＣカードを用意する。このＩＣカードは、ＩＣカードリーダー２２によって非接触で読み取れるもので、このＩＣカードをノートＰＣ２１に接続しているＩＣカードリーダー２２に近接させて記録情報を読み込ませる。実際には、ＩＣカードをＩＣカードリーダー２２に軽くワンタッチさせてもよい。
【００２９】
（Ｓ２１４）読み取ったＩＤにあらかじめ取込送信サブシステム２１にストアされた医療機関コードを付して、後述のウェブサーバー６１０経由でＤＢサーバー６４０にアクセスし、医療機関コードや産婦の行ったユーザー登録があればそれらと一致するかどうかを確認し、本システムのカードであるか確認する。このため、他の医療機関で渡されたカードを産婦が間違って医療機関で手渡したとしても、ＩＤをとりちがえたまま新生児動画を取り込むことはない。
【００３０】
（Ｓ２１６）このＩＣカードの読み込みを契機として、カメラ１０に接続したキャプチャーユニットを経由して新生児動画をWindows（登録商標）の動画ファイルの標準形式であるＡＶＩ形式で圧縮しながらノートＰＣ２１内のＨＤＤ（ハードディスク装置）などに一次ファイルとして保存する。取込み時間は、たとえば、30秒、60秒、90秒など固定の時間を、あらかじめ新生児動画取り込みプログラムの設定をしておくことで、変えることができる。
【００３１】
（Ｓ２１８）指定秒数が経過すると、新生児動画の取り込みを終了し、アップロードのためにＦＬＶファイルに変換して、後述のクラウドサーバー６０の医療機関側ウェブサービス処理６１４を呼んで、後述のコンテンツサーバー６２０にアップロードして保存する。
【００３２】
ＩＣカードの読み込み以降ここまでの一連の処理は人手を介さず自動で行われる。したがって、新生児動画を取り込むために医療機関スタッフの行うことは、新生児動画を取り込めるようにカメラ１０や新生児動画取込送信システム２０の準備をあらかじめ行い、準備が完了したら、ＩＣカードをカードリーダー２２から１回読み込ませるだけで、ほかの手数をかけずに、動画データを確実にクラウドサーバー６０に渡すことができる。しかも、他の医療機関で発行された同種のＩＣカードの情報が読まれた場合でも間違うことはない。
【００３３】
次に、クラウドサーバー６０の処理について説明する。クラウドサーバー６０は、前述のように処理を分担する複数のサーバーを含むものであり、図２に示すように、ウェブサーバー６１０、コンテンツサーバー６２０、動画変換サーバー６３０、データベースサーバー６４０からなり、以下これらについて説明する。
【００３４】
（ウェブサーバー６１０）
ウェブサーバー６１０は次のサービスを行う。ひとつは閲覧クライアント４０が新生児動画を閲覧するためのサービス、もう一つは取込送信サブシステム２１へのサービスで、（１）（新生児動画閲覧ウェブサービス処理）取込送信サブシステム２１から呼び出されてＤＢサーバー６４０へのアクセスやその他の処理を行うサービスと、（２）（医療機関側システムウェブサービス処理）取込送信サブシステム２１からアップロードされた新生児動画ファイルをコンテンツサーバー６２０に保存させるサービスである。
【００３５】
（コンテンツサーバー）
コンテンツサーバー６２０は、後述の動画変換サーバー６３０で処理された各種の閲覧クライアント４０に対する新生児動画ファイルを所定の分類で分類して保存する。
【００３６】
（ＤＢサーバー）
ＤＢサーバー６４０は、本システムで処理を進めるために必要となるデータを格納する。主として、患者情報のデータや動画変換情報のデータが格納される。
【００３７】
（動画変換サーバー）
動画変換サーバー６３０は、「動画変換アプリケーション」を提供し、動画変換処理を行う。以下、各サーバーが行う処理を説明する。
【００３８】
ウェブサーバー６１０は、上述のように新生児動画閲覧ウェブサービス処理と医療機関側システムウェブサービス処理を行う。まず、医療機関側システムウェブサービス処理について説明する。
（医療機関側ウェブサービス処理）
図５に医療機関側ウェブサービス処理について示す。
【００３９】
（Ｓ６１０）ウェブサーバー６１０がインターネットに接続され、取込送信サブシステム２１からリクエストがあれば、応答できるように医療機関側ウェブサービス６１４が起動されているようにする。
【００４０】
（Ｓ６１２）起動されたウェブサービスは、取込送信サブシステム２１から新生児動画ファイルをアップロードするように呼ばれているかどうかを監視しており、リクエストがあった場合に、次の処理Ｓ６１４に移る。リクエストがなければ、監視を続ける。
【００４１】
（Ｓ６１４）コンテンツサーバー６２０にリクエストのあった新生児動画ファイルをアップロードする。その際、この新生児動画ファイルを医療機関ごとのフォルダ内にＩＤごとに区分する。
【００４２】
（Ｓ６１６）ＤＢサーバー６４０の「動画変換待ちデータ」に、当該ファイルのステータス情報のデータを追加する。
【００４３】
（動画変換・保存処理）
動画変換サーバー６３０は、図６に示すように、「動画変換アプリケーション」を提供し、動画変換処理を行う。また、コンテンツサーバー６２０は、動画変換処理が終了した新生児動画ファイルを保存する。
【００４４】
（Ｓ６３０）ウェブサーバー６１０がインターネットに接続され、取込送信サブシステム２１からリクエストがあれば、応答できるように動画変換アプリケーションが起動されているようにする。
【００４５】
（Ｓ６３２）取込送信サブシステム２１からアップロードされた新生児動画ファイルがＤＢサーバー６４０の「動画変換待ちデータ」に追加されているかどうか監視し、追加されていれば次の処理に移る。追加されていなければ、監視を続ける。
【００４６】
（Ｓ６３４）追加されている新生児動画ファイルを各種閲覧クライアント４０で再生できる動画ファイルにそれぞれ変換する。各種閲覧クライアント４０とは、ここでは、ＰＣ、スマートフォン、携帯電話である。なお、閲覧クライアント４０の種類の増加に対応して、再生できる動画ファイルの変換の種類を増加させてもよい。
【００４７】
（Ｓ６３６）変換が終了すると、変換したそれぞれの新生児動画ファイルをコンテンツサーバー６２０に保存する。
【００４８】
（Ｓ６３８）ＤＢサーバー６４０内の「動画変換済データ」にデータを追加する。
【００４９】
（ユーザー閲覧処理）
ウェブサーバー６１０は、図７に示すように、閲覧クライアント４０からの新生児動画の閲覧リクエストを契機として、新生児動画閲覧ウェブサービス６１２を提供し、ユーザー閲覧処理を行う。
【００５０】
（Ｓ４００）ユーザーが閲覧クライアント４０、すなわち、インターネットに接続され、ウェブブラウズができるＰＣ，スマートフォン、携帯電話からウェブサーバー６１０の専用ページ（ログイン画面）にアクセスするリクエストを送る。
【００５１】
（Ｓ４１０）閲覧クライアント４０がウェブサーバー６１０から送られた専用ページ（ログイン画面）を表示し、ユーザーの入力が可能になる。
【００５２】
（Ｓ４２０）ユーザーはログイン画面から登録済みか否かを選択する。ユーザー登録済であれば、次のログイン処理Ｓ４３０に移り、済んでなければ、新規ユーザー登録をする処理Ｓ４２２に移る。
【００５３】
（Ｓ４２２）ユーザーは、新規登録するか否かを選択する。新規ユーザー登録をするのであれば、次の処理Ｓ４２２に移り、しないのであれば、ユーザー閲覧処理を終了する。
【００５４】
（Ｓ４２４）ユーザーがＩＣカードに記載されたＩＤとセキュリティコード、及び必要に応じ新たなパスワードを入力すると、新規ユーザー登録を行い、ログイン処理が開始されて、Ｓ４４０に戻る。
【００５５】
（Ｓ４３０）ユーザーがログイン画面からＩＤおよびパスワードを入力すると、ログイン処理が開始される。
【００５６】
（Ｓ４４０）ユーザーのログインを許可するに当たり、許可すべきユーザーであるか認証する。認証は、ＩＤとパスワードにより行う。認証される場合は、次の処理Ｓ４５０に移り、認証されない場合は、ユーザー閲覧処理を終了する。
【００５７】
（Ｓ４５０）ログインしたユーザーのアクセスした閲覧クライアント（端末）の種類を判別し、判別した種類（ＰＣ用、スマートフォン用、携帯電話用）のユーザーＩＤに対応する変換済の新生児動画ファイルをコンテンツサーバーからストリーミング送信する。なお、送信（ダウンロード）する際は、ＳＳＬによる暗号通信を使用する。
【００５８】
このようにして、このシステムでは、まちがうことなく産婦やその家族などのユーザーが確実に関係する新生児動画を閲覧することができるとともに、医師などの医療機関スタッフにとって新生児動画を読み込ませる際の手数を極限まで減少させ、また、産婦、その家族・知人にとっても新生児動画を簡単に見ることができる。
【００５９】
加えて、サーバー群を個々の医療機関ではなくクラウド上に集中して設置することにより、サーバーのメンテナンスの手間を大幅に減少させ、医療機関の負担するスペースの確保やコストを低減し使いやすくすることができる。
【００６０】
以上、本発明の実施の形態について、実施例をあげて説明したが、本発明は上記した実施の形態に限定されるものではない。
【図面の簡単な説明】
【００６１】
【図１】本発明の全体構成を示す。
【図２】クラウドサーバー６０の構成を示す。
【図３】閲覧クライアント４０の構成を示す。
【図４】新生児動画取込み処理のフローチャートを示す。
【図５】医療機関側ウェブサービス処理のフローチャートを示す。
【図６】新生児動画変換・保存処理のフローチャートを示す。
【図７】ユーザー閲覧処理のフローチャートを示す。
【符号の説明】
【００６２】
１：新生児動画配信システム
１０：カメラ
２０：新生児動画取込送信システム
２１：取込送信サブシステム
２２：非接触型ＩＣカードリーダー
３０：医療機関側システム
４０：閲覧クライアント
４１：ＰＣ（パーソナルコンピュータ）
４２：スマートフォン
４３：携帯電話
５０：インターネット（通信網）
６０：クラウドサーバー
６１０：ウェブサーバー
６１２：新生児動画閲覧ウェブサービス
６１４：医療機関側ウェブサービス
６２０：コンテンツサーバー
６３０： 動画変換サーバー
６４０：データベースサーバー（ＤＢサーバー）
【図１】
2014154948.tif 000003
【図２】
2014154948.tif 000004
【図３】
2014154948.tif 000005
【図４】
2014154948.tif 000006
【図５】
2014154948.tif 000007
【図６】
2014154948.tif 000008
【図７】
2014154948.tif 000009